(57)【特許請求の範囲】
【請求項１】
チェーンに取り付けられたフライト板をスプロケットにより循環移動させて沈澱池の沈澱汚泥を掻き寄せる汚泥掻き寄せ機において、
前記チェーンの連結ピンの延長部からなり、チェーンの側面から突設されたガイドピンと、
前記チェーンとスプロケットとの噛み合い部において、前記ガイドピンをスプロケットの径方向外側からガイドして前記チェーンのスプロケットからの浮き上がりを抑制するガイド部材と、
を備えたことを特徴とする汚泥掻き寄せ機におけるチェーンの浮き上がり防止構造。
【請求項２】
前記ガイド部材は、固定部材に支持され前記スプロケットの側面に沿って形成される支持板部と、この支持板部から前記チェーンに向けて立ち上がり形成され、前記ガイドピンの円弧軌道に沿う円弧形状を呈したガイド板部と、を有して構成されることを特徴とする請求項１に記載の汚泥掻き寄せ機におけるチェーンの浮き上がり防止構造。
【発明の詳細な説明】
【技術分野】
【０００１】
本発明は、下水処理施設や浄水処理施設などの沈澱池に設置される汚泥掻き寄せ機に関するものである。
【背景技術】
【０００２】
沈澱池に設置される汚泥掻き寄せ機の従来例として、複数のスプロケットにチェーンを掛け回し、チェーンに取り付けたフライト板により沈澱池の沈澱汚泥を掻き寄せるタイプのものが挙げられる（例えば、特許文献１参照）。
【０００３】
防錆の点から、水中に設けられる汚泥掻き寄せ機の構成部材の殆どは樹脂製であり、前記チェーンも樹脂製のものが使用される。しかし、樹脂製のチェーンは金属製のものに比べスプロケットとの噛み合い部における浮き上がりが生じやすいという問題がある。このチェーンの浮き上がりを防止する方法としては例えばチェーンの周りにガイド部材を配置する構造が考えられる。なお、スプロケットとの噛み合い部に関するものではないが、特許文献２には、搬送経路におけるチェーンの浮き上がりを防止する目的で、チェーンの前歯プレート或いは後歯プレートにラグ片を設け、このラグ片とスラットとの間にサイドレールを配置する技術が記載されている。
【先行技術文献】
【特許文献】
【０００４】
【特許文献１】実開平６−７８０４号公報（図３）
【特許文献２】特許第４０１０７５５号公報（段落[００４６]、[００４７]、図９）
【発明の概要】
【発明が解決しようとする課題】
【０００５】
しかしながら、汚泥掻き寄せ機ではチェーンの外周側にフライト板が取り付けられているため、スプロケットとの噛み合い部において、チェーンのガイド部材をフライト板と干渉しないように配置することは困難となりやすい。
【０００６】
本発明は、このような問題を解決するために創作されたものであり、スプロケットとの噛み合い部におけるチェーンの浮き上がりを簡単な構造で防止できる汚泥掻き寄せ機におけるチェーンの浮き上がり防止構造を提供することを目的としている。
【課題を解決するための手段】
【０００７】
本発明は、前記課題を解決するため、チェーンに取り付けられたフライト板をスプロケットにより循環移動させて沈澱池の沈澱汚泥を掻き寄せる汚泥掻き寄せ機において、前記チェーンの連結ピンの延長部からなり、チェーンの側面から突設されたガイドピンと、前記チェーンとスプロケットとの噛み合い部において、前記ガイドピンをスプロケットの径方向外側からガイドして前記チェーンのスプロケットからの浮き上がりを抑制するガイド部材と、を備えたことを特徴とする汚泥掻き寄せ機におけるチェーンの浮き上がり防止構造とした。
【０００８】
このチェーンの浮き上がり防止構造によれば、ガイドピンはチェーンの側面から突設されているため、このガイドピンをスプロケットの径方向外側（つまりスプロケットの外周側）からガイドするガイド部材はチェーンの側面に配置されることとなり、チェーンの外周側に取り付けられたフライト板との干渉が容易に回避される。ガイドピンをチェーンの連結ピンの延長部とすることで、既存の汎用チェーンに対して本発明を容易に適用できる。
【０００９】
また、本発明は、前記ガイド部材は、固定部材に支持され前記スプロケットの側面に沿って形成される支持板部と、この支持板部から前記チェーンに向けて立ち上がり形成され、前記ガイドピンの円弧軌道に沿う円弧形状を呈したガイド板部と、を有して構成されることを特徴とする。
【００１０】
この構成によれば、ガイド部材の形状が簡単なものとなって、ガイド部材の製作コストの低減および組み付け性の向上が図れる。
【発明の効果】
【００１１】
本発明によれば、沈澱池に設置される汚泥掻き寄せ機において、スプロケットとの噛み合い部におけるチェーンの浮き上がりを簡単な構造で防止できる。また、ガイドピンをチェーンの側面から突設させたことにより、フライト板をチェーンの端部に取付けることができ、スプロケットの外側（沈殿池の淵側）にもフライト板を延設することができる。
【図面の簡単な説明】
【００１２】
【図１】汚泥掻き寄せ機が設置された沈澱池の側断面図である。
【図２】本発明を適用したチェーンの部分平面図である。
【図３】本発明の第１実施例におけるガイド部材周りの説明図であり、（ａ）、（ｂ）はそれぞれ正面図、側面図である。
【図４】本発明の第２実施例におけるガイド部材周りの説明図であり、（ａ）、（ｂ）はそれぞれ正面図、側面図である。
【図５】本発明の第３実施例におけるガイド部材周りの説明図であり、（ａ）、（ｂ）はそれぞれ正面図、側面図である。
【発明を実施するための形態】
【００１３】
図１において、沈澱池Ｐには、無端のチェーン２に取り付けられて沈澱池Ｐの長手方向に循環移動し、沈澱池Ｐの池底に沈澱した汚泥を掻き寄せるフライト板３を備えた汚泥掻き寄せ機１が設置されている。チェーン２は、沈澱池Ｐの幅方向（図１における紙面奥−手前方向）に一対並設されており、それぞれ沈澱池Ｐ内の複数箇所に設置されたスプロケット（駆動スプロケット４Ａ、従動スプロケット４Ｂ〜４Ｄ）に掛け回されている。
【００１４】
フライト板３は、沈澱池Ｐの幅方向に延設された板状部材であり、一対のチェーン２にかけてチェーン２の外周側に所定間隔をおいて複数取り付けられており、図３〜図５に示すようにアタッチメント５を介してチェーン２に連結している。駆動モータ６により駆動スプロケット４Ａが回転駆動してチェーン２が循環することで、チェーン２の下部経路に位置したフライト板３が池底に沈澱した汚泥を掻き寄せ、沈澱池Ｐの長手方向一端側に形成されたピット７に汚泥を集積させる。なお、フライト板３は、チェーン２の上部経路においては、沈澱池Ｐの側壁に設置されたガイドレール８、９にガイドされ、チェーン２の下部経路においては、沈澱池Ｐの池底に設置されたガイドレール１０にガイドされる。
【００１５】
本発明は、図２に示すように、チェーン２において、側面（外リンクプレート）から突設するように連結ピン２Ａを延長させてガイドピン１１とし、図１、図３〜図５に示すように、チェーン２と各スプロケット４Ａ〜４Ｄとの噛み合い部において、ガイドピン１１をスプロケット４Ａ〜４Ｄの径方向外側からガイドするガイド部材１２〜１５を設けたことを主な特徴とする。
【００１６】
「第１実施例」
図３に駆動スプロケット４Ａに対する適用例を示す。沈澱池Ｐの躯体側面には軸受用ブラケット１６が固設され、この軸受用ブラケット１６に載置した軸受ユニット１７に駆動軸１８が回転自在に支承される。駆動軸１８には駆動スプロケット４Ａが軸着されるとともに、チェーン１９を介して駆動モータ６（図１）と連結する駆動伝達スプロケット２０が軸着されている。
【００１７】
軸受用ブラケット１６には、沈澱池Ｐの幅方向中央に向けて延設するガイド部材用ブラケット２１（固定部材）が固設され、このガイド部材用ブラケット２１にガイド部材１２が固設されている。ガイド部材１２は例えば板部材から構成され、一端がガイド部材用ブラケット２１に支持され駆動スプロケット４Ａの側面に沿って形成される支持板部１２Ａと、支持板部１２Ａの他端からチェーン２に向けて立ち上がり形成されるガイド板部１２Ｂとを有した形状からなる。ガイド板部１２Ｂは、チェーン２と駆動スプロケット４Ａとの噛み合い部のみに沿うように円弧状に形成されており、チェーン２のガイドピン１１の円弧軌道よりも若干、駆動スプロケット４Ａの径方向外側で、かつフライト板３の円弧軌道よりも駆動スプロケット４Ａの径方向内側に位置している。なお、支持板部１２Ａには駆動軸１８を挿通させるための貫通孔が穿設されている。
【００１８】
以上の構成によれば、ガイドピン１１の円弧軌道の外側へのずれがガイド部材１２のガイド板部１２Ｂによって阻止されることにより、駆動スプロケット４Ａに対するチェーン２の浮き上がりが抑制される。チェーン２の側面から突設したガイドピン１１をガイド部材１２によりガイドする構造としたことにより、チェーン２の外周に取り付けられるフライト板３（具体的にはアタッチメント５）とガイド部材１２との干渉回避も容易である。ガイドピン１１をチェーン２の連結ピン２Ａの延長部としたことで、既存の汎用チェーンに対しても本発明を容易に適用できる。
【００１９】
また、ガイド部材１２を、前記支持板部１２Ａおよびガイド板部１２Ｂを有する部材から構成することにより、ガイド部材１２の形状が簡単なものとなって、ガイド部材１２の製作コストの低減および組み付け性の向上が図れる。支持板部１２Ａとガイド板部１２Ｂとは、互いに別の板部材を溶接等により一体に構成されたものでもよいし、一枚の板部材を屈曲成形してなる構成でもよい。
【００２０】
「第２実施例」
図４に従動スプロケット４Ｂに対する適用例を示す。沈澱池Ｐの躯体側面に固設した軸支用ブラケット２２（固定部材）には固定軸２３が軸支されており、この固定軸２３に従動スプロケット４Ｂが回転自在に支承されている。ガイド部材１３は、一端が軸支用ブラケット２２に支持され従動スプロケット４Ｂの側面に沿って形成される支持板部１３Ａと、支持板部１３Ａの他端からチェーン２に向けて立ち上がり形成されるガイド板部１３Ｂとを有した形状からなる。ガイド板部１３Ｂは、チェーン２と従動スプロケット４Ｂとの噛み合い部のみに沿うように円弧状に形成されており、チェーン２のガイドピン１１の円弧軌道よりも若干、従動スプロケット４Ｂの径方向外側で、かつフライト板３の円弧軌道よりも従動スプロケット４Ｂの径方向内側に位置している。なお、図１に示す従動スプロケット４Ｄ用のガイド部材１５の取り付け構造においてもこの軸支用ブラケット２２を利用している。
【００２１】
この第２実施例によっても、ガイドピン１１の円弧軌道の外側へのずれがガイド部材１３のガイド板部１３Ｂによって阻止されることにより、従動スプロケット４Ｂに対するチェーン２の浮き上がりが抑制される。また、ガイド部材１３を、支持板部１３Ａおよびガイド板部１３Ｂを有する部材から構成することにより、ガイド部材１３の形状が簡単なものとなって、ガイド部材１３の製作コストの低減および組み付け性の向上が図れる。支持板部１３Ａとガイド板部１３Ｂとは、互いに別の板部材を溶接等により一体に構成されたものでもよいし、一枚の板部材を屈曲成形してなる構成でもよい。
【００２２】
「第３実施例」
図５に従動スプロケット４Ｃに対する適用例を示す。この従動スプロケット４Ｃはチェーン２のテンション調整用として軸がスライド可能に構成されており、固定軸２５（固定部材）は、沈澱池Ｐの躯体に固設したスライド軸支ユニット２４に、回転不能かつ沈澱池Ｐの長手方向にスライド調整可能に取り付けられている。ガイド部材１４は、固定軸２５に固設した固定カラー２６に支持され従動スプロケット４Ｃの側面に沿って形成される支持板部１４Ａと、支持板部１４Ａからチェーン２に向けて立ち上がり形成されるガイド板部１４Ｂとを有した形状からなる。ガイド板部１４Ｂは、チェーン２と従動スプロケット４Ｃとの噛み合い部のみに沿うように円弧状に形成されており、チェーン２のガイドピン１１の円弧軌道よりも若干、従動スプロケット４Ｃの径方向外側で、かつフライト板３の円弧軌道よりも従動スプロケット４Ｃの径方向内側に位置している。
【００２３】
この第３実施例によっても、ガイドピン１１の円弧軌道の外側へのずれがガイド部材１４のガイド板部１４Ｂによって阻止されることにより、従動スプロケット４Ｃに対するチェーン２の浮き上がりが抑制される。また、ガイド部材１４を、支持板部１４Ａおよびガイド板部１４Ｂを有する部材から構成することにより、ガイド部材１４の形状が簡単なものとなって、ガイド部材１４の製作コストの低減および組み付け性の向上が図れる。支持板部１４Ａとガイド板部１４Ｂとは、互いに別の板部材を溶接等により一体に構成されたものでもよいし、一枚の板部材を屈曲成形してなる構成でもよい。
【００２４】
以上、本発明の好適な実施形態を説明した。各図では、ガイドピン１１をチェーン２の一側面側（沈澱池Ｐの躯体側面に対向する側）に突設させ、スプロケットの外側面側に設けたガイド部材によりガイドする場合を示したが、ガイドピン１１をチェーン２の他側面側（沈澱池Ｐの幅方向中央に臨む側）に突設して、スプロケットの内側面側に設けたガイド部材によりガイドさせる構成にしてもよく、さらにガイドピン１１をチェーン２の両側から突設させて、スプロケットの両側に設けたガイド部材によりガイドさせる構成にしてもよい。その他、本発明は図面に記載したものに限定されることなく、その趣旨を逸脱しない範囲で様々な設計変更が可能である。
【符号の説明】
【００２５】
１      汚泥掻き寄せ機
２      チェーン
２Ａ    連結ピン
３      フライト板
４Ａ    駆動スプロケット
４Ｂ〜４Ｄ  従動スプロケット
１１      ガイドピン
１２〜１５  ガイド部材
１２Ａ〜１４Ａ  支持板部
１２Ｂ〜１４Ｂ  ガイド板部
２１      ガイド部材用ブラケット（固定部材）
２２      軸支用ブラケット（固定部材）  
２５      固定軸（固定部材）
Ｐ      沈澱池
【図１】
0005416538.tif 000002
【図２】
0005416538.tif 000003
【図３】
0005416538.tif 000004
【図４】
0005416538.tif 000005
【図５】
0005416538.tif 000006